(57)【要約】【課題】記憶手段における表示手段に表示する画像の画像データを記憶するための記憶容量を少なくすることができる画像表示装置及びデジタルカメラを提供すること。【解決手段】画像表示部における水平同期信号の周期に同期して、画像メモリに格納されている圧縮画像データにおける、表示画像の水平方向のｎライン目部分に対応するｎ番目のブロック（ブロックｎ）を読み込み、読み込んだ画像データのブロックｎを伸張して、伸張した画像データのブロックｎを、表示用メモリへ格納する（ステップ２０４〜２０８）。表示用メモリに画像データのブロックｎが格納されることで、当該画像データのブロックｎに対応する画像が画像表示部に出力表示される（ステップ２１０）。ここまでの処理を、画像表示部における水平同期信号の周期に同期し、表示画像１画面分の表示がなされるまで繰り返す（ステップ２１２、２１４）。【選択図】　　　　図３
2004120570.tif 000002
【特許請求の範囲】
【請求項１】
画像データを記憶する記憶手段と、
前記記憶手段に記憶された画像データに基づく画像を表示する表示手段と、
前記表示手段に表示される１画像を複数に分割した各ブロックの画像データを順次前記記憶手段に記憶し、かつ、前記画像データが記憶されたタイミングで、当該画像データに基づく画像が前記表示手段に表示されるように、前記記憶手段及び前記表示手段を制御する制御手段と、
を有する画像表示装置。
【請求項２】
前記記憶手段における記憶容量は、前記１画像分の画像データのデータ量より小さいことを特徴とする請求項１記載の画像表示装置。
【請求項３】
前記制御手段は、前記画像データの各ブロックを、所定周期で順次前記記憶手段に記憶することを特徴とする請求項１又は２に記載の画像表示装置。
【請求項４】
前記制御手段は、前記画像データの１ブロックに基づく画像が前記表示手段で表示された後に、前記画像データの次のブロックを前記記憶手段に記憶することを特徴とする請求項１又は２に記載の画像表示装置。
【請求項５】
請求項１〜請求項４の何れか１項に記載の画像表示装置を備えたデジタルカメラ。
【発明の詳細な説明】
【０００１】
【発明の属する技術分野】
本発明は、画像データに基づく画像を表示する画像表示装置及び当該画像表示装置を備えたデジタルカメラに関する。
【０００２】
【従来の技術】
従来のデジタルカメラでは、被写体像を撮影して静止画像或いは動画像として取得した画像データは、当該デジタルカメラに内蔵されたフラッシュメモリや、当該デジタルカメラに装着された着脱可能な記録メディアとしてのメモリカード（例えば、スマート・メディア（ＳｍａｒｔＭｅｄｉａ（Ｒ））、コンパクト・フラッシュ（ＣｏｍｐａｃｔＦｌａｓｈ）、マイクロ・ドライブ等）等の所定の記録媒体に記録されると共に、デジタルカメラが備える画像表示機能によって撮影で取得した画像データに基づく画像の表示出力が可能とされている。
【０００３】
このようなデジタルカメラでは、一般に、画像データはデータ量が大きいため、例えば、上記記録媒体に記録する際にはデータ圧縮処理を施して記録し、画像表示時にはその圧縮データを伸張展開して表示出力する等の処理が行われている。従って、上記の処理を行うために用いるワークエリアとしての画像データ処理用のメモリは、ある程度容量の大きいものを設ける必要があり、このことによって、製造コストを高めることにつながっていた。
【０００４】
上記のような問題点を解消するため、特許文献１に記載の技術では、圧縮されたイメージデータからイメージ表示に必要な部分のみを画像表示用フレームメモリに伸張展開して直接表示出力することにより、圧縮データの伸張展開に必要なメモリ容量を抑えている。また、特許文献２に記載の技術では、圧縮された画像データについて、記録媒体に記録されている圧縮データを全て読み出さず、部分的伸張に必要なデータを読み出して、記憶手段の表示領域に記憶することによって画像表示出力することで、圧縮データの読み出し時間を削減しつつ、圧縮データの伸張展開に必要なメモリ容量を抑えている。
【０００５】
【特許文献１】
特開平４−３４７７８１号公報
【特許文献２】
特開平８−７０４３２号公報
【０００６】
【発明が解決しようとする課題】
しかしながら、上記の先行技術の何れにおいても、圧縮伸張処理に用いるワークエリアとしてのメモリ容量を可能な限り小さくすることはできるが、画像表示用フレームメモリの容量については、表示画像１画面分に相当する量が必要とされ、このことが全体のメモリ容量の抑制に制限を与えることがある。
【０００７】
本発明は上記事実に鑑み成されたものであり、画像表示用フレームメモリ等の記憶手段における、表示画像の画像データを記憶するための記憶容量を少なくすることができる画像表示装置及びデジタルカメラを提供することを目的とする。
【０００８】
【課題を解決するための手段】
上記目的を達成するために、請求項１に記載の発明は、画像データを記憶する記憶手段と、前記記憶手段に記憶された画像データに基づく画像を表示する表示手段と、前記表示手段に表示される１画像を複数に分割した各ブロックの画像データを順次前記記憶手段に記憶し、かつ、前記画像データが記憶されたタイミングで、当該画像データに基づく画像が前記表示手段に表示されるように、前記記憶手段及び前記表示手段を制御する制御手段と、を有している。
【０００９】
請求項１に記載の発明によれば、記憶手段は画像データを記憶し、表示手段は記憶手段に記憶された画像データに基づく画像を表示する。制御手段は、表示手段に表示される１画像を複数に分割した各ブロックの画像データを順次記憶手段に記憶し、かつ、その画像データが記憶されたタイミングで、当該画像データに基づく画像が表示手段に表示されるように、記憶手段及び表示手段を制御する。このように、１画像を複数に分割した各ブロックの画像データを順次記憶手段に記憶し、かつ、その画像データが記憶されたタイミングで、当該画像データに基づく画像を表示しているので、表示手段における画像表示では、記憶手段には表示手段に表示される１画像分のデータ量よりも小さいデータ量の画像データが記憶されることになり、記憶手段における表示手段に表示する画像の画像データを記憶するための記憶容量を少なくすることができる。また、このことにより、記憶手段における記憶領域の使用を節約することができ、その節約された分の記憶領域を画像表示に関わるその他の処理で使用するように設定することもできる。
【００１０】
請求項２に記載の発明は、請求項１に記載の発明において、前記記憶手段における記憶容量は、前記１画像分の画像データのデータ量より小さいことを特徴としている。
【００１１】
請求項２に記載の発明によれば、記憶手段における記憶容量は、表示手段で表示される１画像分の画像データのデータ量より小さいことで、記憶手段の記憶容量を、表示手段で表示される１画像分の画像データのデータ量より小さく構成することができる。
【００１２】
請求項３に記載の発明は、請求項１又は２に記載の発明において、前記制御手段は、前記画像データの各ブロックを、所定周期で順次前記記憶手段に記憶することを特徴としている。
【００１３】
請求項３に記載の発明によれば、制御手段は、画像データの各ブロックを、所定周期、例えば、表示手段における当該各ブロックの画像データに基づく画像の表示周期に同期したタイミングで順次記憶手段に記憶することで、画像データの各ブロックに対応する１画像中の部分画像の表示周期に同期して少なくとも当該１画像中の部分画像に対応するブロックが記憶手段に記憶すればよいため、記憶手段で必要とされる記憶容量を削減しつつ、効率的な画像表示を行うことができる。
【００１４】
請求項４に記載の発明は、請求項１又は２に記載の発明において、前記制御手段は、前記画像データの１ブロックに基づく画像が前記表示手段で表示された後に、前記画像データの次のブロックを前記記憶手段に記憶することを特徴としている。
【００１５】
請求項４に記載の発明によれば、制御手段は、画像データの１ブロックに基づく画像が表示手段で表示された後に、画像データの次のブロックを記憶手段に、例えば、上書き記憶することで、記憶手段で必要とされる記憶容量を、少なくとも画像データの１ブロックを格納できる容量まで小さく設定することができる。
【００１６】
また、請求項５に記載の発明のように、請求項１〜請求項４の何れか１項に記載の画像表示装置をデジタルカメラに適用することは好ましい。
【００１７】
【発明の実施の形態】
以下、図面を参照して、本発明の実施の形態を詳細に説明する。
【００１８】
図１には、本実施の形態に係る画像表示装置に対応する機能を備えたデジタルカメラ１０の概略構成が示されている。
【００１９】
このデジタルカメラ１０は、当該デジタルカメラ１０の動作全般の主制御部であり本発明の制御手段に対応するＣＰＵ１２、内蔵メモリ１４、撮像系制御部１６、画像圧縮／伸張部１８、メディアインターフェース（メディアＩ／Ｆ）２２、画像表示部（例えば、液晶ディスプレイ等）３０Ａの表示制御を行う表示制御部３０、画像メモリ（以下ではメモリＡともいう。）２４、画像メモリ（以下ではメモリＢともいう。）２６、及び表示用メモリ（以下ではメモリＣともいう。）２８を主要構成としており、各々がバス２０を介して相互に各種データの授受可能に接続されている。なお、本実施の形態に係るデジタルカメラ１０は、図示しない各種の操作ボタン系（例えば、各種撮影動作モードを選択するためのモードダイアル、各種動作コマンドやデータを選択する十字ボタン、選択されたコマンドを実行する実行ボタン等）を備えている。
【００２０】
内蔵メモリ１４は、主として撮影によって得られたデジタル画像データを一時的に記憶するＲＡＭ、及び各種制御プログラムや所定のパラメータ等を予め記憶するＲＯＭを含んで構成されている。
【００２１】
撮像系制御部１６は、被写体像を撮影するための撮像系（図示せず）を制御して、当該被写体像を動画像或いは静止画像として所望に選択して撮影し、当該被写体像に対応するデジタル画像データとして取得するためのものである。
【００２２】
画像圧縮／伸張部１８は、前記デジタル画像データに対する所定の画像圧縮形式による圧縮処理や、圧縮されたデジタル画像データを圧縮形式に応じた伸張するためのものである。なお、本実施の形態では、前記所定の画像圧縮形式として、静止画像のデジタル画像データに対してはＪＰＥＧ（Ｊｏｉｎｔ　Ｐｈｏｔｏｇｒａｐｈｉｃ　Ｅｘｐｅｒｔｓ　Ｇｒｏｕｐ）フォーマットを採用し、動画像のデジタル画像データに対してはＡＶＩ（Ａｕｄｉｏ　Ｖｉｄｅｏ　Ｉｎｔｅｒｌｅａｖｅｄ）フォーマットを採用している。
【００２３】
メディアＩ／Ｆ２２は、撮影によって得られたデジタル画像データを記憶するための、デジタルカメラ１０に装着された外部記録メディア２２Ａとの間で各種データの授受を中継するためのものであり、外部記録メディア２２Ａに対する各種データの書込みや、当該外部記録メディア２２Ａに書き込まれている各種データの読み出しを制御する。これにより、撮影によって得られた画像データは、画像圧縮／伸張部１８で所定の圧縮形式による圧縮処理が施された後に、メディアＩ／Ｆ２２を介して、外部記録メディア２２Ａへ記憶される。なお、この外部記録メディア２２Ａとしては、スマート・メディア（ＳｍａｒｔＭｅｄｉａ（Ｒ））、コンパクト・フラッシュ（ＣｏｍｐａｃｔＦｌａｓｈ）、ＡＴＡ（ＡＴ　Ａｔｔａｃｈｍｅｎｔ）カード、フロッピィディスク等の可搬記録媒体を採用することができる。
【００２４】
画像メモリ２４及び画像メモリ２６は、詳細は後述するが、前記画像圧縮／伸張部１６による圧縮・伸張処理時のワークエリアとして用いられるものである。
【００２５】
表示制御部３０には、表示画面サイズが所定ピクセル数（例えば、６４０×４８０ピクセル）に設定された液晶表示パネルで構成された画像表示部３０Ａが接続されており、画像表示部３０Ａでは表示制御部３０の制御下で、撮像によって得られた被写体像の画像データも基づく画像を表示したり、各種情報の表示や各種機能選択画面の表示がなされる。なお、表示制御部３０及び画像表示部３０Ａは、本発明の表示手段に対応している。
【００２６】
表示用メモリ２８は、表示制御部３０による画像データの表示制御時において、画像表示部３０Ａで表示すべき画像データを一時記憶するためのものである。なお、表示用メモリ２８は、本発明の記憶手段に対応している。
【００２７】
次に、本実施の形態の作用について説明する。
【００２８】
本実施の形態に係るデジタルカメラ１０では、外部記録メディア２２Ａに記憶されている画像データを読み出して、画像表示部３０Ａで表示するにあたり、ＣＰＵ１２の制御下で、図２に示す処理ルーチンが実行される。
【００２９】
まず、ステップ１００では、外部記録メディア２２Ａに記憶されている圧縮処理が施された画像データ（圧縮画像データ）を、画像メモリ２４の容量に基づく所定単位量づつ読み込み、次のステップ１０２で、読み込んだ圧縮画像データを伸張する。次のステップ１０４では、伸張された画像データを画像メモリ（メモリＡ）２４に一時記憶する。
【００３０】
次のステップ１０６では、画像メモリ（メモリＡ）２４に記憶されている画像データを、画像表示部３０Ａにおける表示画像サイズに対応するように、所定の割合でデータを間引き、圧縮処理を施し、画像メモリ（メモリＢ）２６に一時記憶する（ステップ１０８）。これにより、画像メモリ（メモリＢ）２６には、元の圧縮画像データが、画像表示部３０Ａにおける表示画像サイズに対応するデータ量の圧縮画像データとして記憶されることになる。
【００３１】
画像メモリ（メモリＢ）２６に対して、画像表示部３０Ａにおける表示画像１画面分の画像データの記憶が終了するまでは、ステップ１１０で否定判断されて上記ステップ１００へ戻り、上記処理を繰り返す。
【００３２】
一方、画像メモリ（メモリＢ）２６に対して、画像表示部３０Ａにおける表示画像１画面分の画像データの記憶が終了すると、ステップ１１０で肯定判断されて、ステップ１１２へ進み、当該画像データを画像表示部３０Ａで表示するための表示制御処理（詳細は後述）を実行する。
【００３３】
上記表示制御処理では、画像データに基づく画像を画像表示部３０Ａで表示するために、当該画像データを表示用メモリ２８へ格納する処理として、図３に示す処理ルーチンが実行される。
【００３４】
まず、ステップ２００では、画像データを読み込む際の所定の読込単位データ量を示すブロックのカウント変数ｎを０に初期化して、ステップ２０２へ進み、カウント変数ｎをインクリメントして、ステップ２０４へ進む。
【００３５】
ステップ２０４では、所定周期に同期して、画像メモリ（メモリＢ）２６に格納されている圧縮画像データにおけるｎ番目のブロック（ブロックｎ）を読み込む。ここでは、例えば、画像表示部３０Ａにおける水平同期信号の周期を上記所定周期とし、圧縮画像データの上記ブロックｎを表示画像の水平方向の１ライン分に対応するデータとする。
【００３６】
次のステップ２０６では、画像メモリ（メモリＢ）２６から読み込まれた圧縮画像データのブロックｎを伸張し、ステップ２０８へ進み、伸張した画像データのブロックｎを、表示用メモリ（メモリＣ）２８へ格納する。
【００３７】
表示用メモリ（メモリＣ）２８に画像データのブロックｎが格納されることで、画像表示部３０Ａには、表示用メモリ（メモリＣ）２８に格納された画像データのブロックｎに対応する画像が出力表示される（ステップ２１０）。
【００３８】
次のステップ２１２では、画像データの次のブロックに対応する画像の表示同期タイミングであるか否かを判断し、肯定判断の場合には上記ステップ２０２へ戻り、否定判断の場合には次のステップ２１４へ進み、表示画像１画面分の表示がなされたか否かを判断し、否定判断の場合には上記ステップ２１２へ戻り、肯定判断の場合には本処理ルーチンを終了する。
【００３９】
以上説明したように、本実施の形態に係るデジタルカメラによれば、図４に示すように、表示用メモリ２８には、画像表示部３０Ｂにおける水平同期信号の周期に同期して、表示画像の各ラインに対応するブロックが記憶され、当該ブロックに対応するライン部分の画像が画像表示部３０Ａにて表示される。すなわち、表示画像の１ライン目の表示周期に同期して、表示用メモリ２８には、表示画像の１ライン目に対応する画像データのブロック１が記憶され、画像表示部３０Ａには、表示画像の１ライン目が表示される（図４（Ａ）参照）。続いて、表示画像の２ライン目の表示周期に同期して、表示用メモリ２８には、表示画像の２ライン目に対応する画像データのブロック２が上書き記憶され、画像表示部３０Ａには、表示画像の２ライン目が表示される（図４（Ｂ）参照）。さらに、表示画像の３ライン目についても上記と同様に画像表示がなされ（図４（Ｃ）参照）、表示画像の４ライン目以降の全ラインについても上記と同様に画像表示がなされる。
【００４０】
これに対し、従来では、図５に示すように、表示用メモリ４０（所謂、フレームメモリ）では画像データ全体（ブロック１、ブロック２、ブロック３、・・・、の全てのブロック）を記憶し、画像表示部３０Ｂでは、表示用メモリ４０に記憶されたデータから画像表示部３０Ｂにおける水平同期信号の周期に同期して、表示画像の各ラインに対応するブロックが順次読み出され、当該ブロックに対応するライン部分の画像が画像表示部３０Ｂにて表示される。
【００４１】
従って、本実施の形態に係る表示用メモリ２８では、そのメモリ容量を少なくとも画像データの各ブロックのデータ量を記憶できる容量まで小さくすることが可能であり、従来の表示用メモリ４０のメモリ容量よりも大幅に小さくすることができる。
【００４２】
なお、本実施の形態では、画像メモリ２４、画像メモリ２６、及び表示用メモリ２８をそれぞれ独立に設けたが、これに限らず、画像メモリ２４、画像メモリ２６、及び表示用メモリ２８を１つのメモリで構成し、そのメモリ内の記憶領域を３つのワークエリアに分割して、各ワークエリアにおいて、画像メモリ２４、画像メモリ２６、及び表示用メモリ２８のそれぞれで記憶されるデータを扱うようにしてもよい。また、表示用メモリ２８は表示制御部３０に含めて構成してもよい。これにより、さらに、装置の低コスト化及び処理速度の高速化を図ることができる。
【００４３】
【発明の効果】
以上説明したように、本発明によれば、表示手段に表示される１画像を複数に分割した各ブロックの画像データを順次記憶手段に記憶し、かつ、その画像データが記憶されたタイミングで、当該画像データに基づく画像を表示しているので、表示手段における画像表示では、記憶手段には表示手段に表示される１画像分のデータ量よりも小さいデータ量の画像データが記憶されることになり、記憶手段における表示手段に表示する画像の画像データを記憶するための記憶容量を少なくすることができる画像表示装置及びデジタルカメラを提供することができる、という優れた効果を有する。
【図面の簡単な説明】
【図１】本発明の実施の形態に係るデジタルカメラの概略構成図である。
【図２】本発明の実施の形態に係る画像表示処理の流れを示すフローチャートである。
【図３】本発明の実施の形態に係る表示制御処理の流れを示すフローチャートである。
【図４】（Ａ）〜（Ｃ）は、本発明の実施の形態における、表示画像に対応する表示メモリ内の格納データについて説明するための図である。
【図５】（Ａ）〜（Ｃ）は、従来技術における、表示画像に対応する表示メモリ内の格納データについて説明するための図である。
【符号の説明】
１０　　デジタルカメラ
１２　　ＣＰＵ（制御手段）
１４　　内蔵メモリ
１８　　画像圧縮／伸張部
２２　　メディアＩ／Ｆ
２２Ａ　外部記録メディア
２４　　画像メモリ
２６　　画像メモリ
２８　　表示用メモリ（記憶手段）
３０　　表示制御部（表示手段）
３０Ａ　画像表示部（表示手段）
【図１】
2004120570.tif 000003
【図２】
2004120570.tif 000004
【図３】
2004120570.tif 000005
【図４】
2004120570.tif 000006
【図５】
2004120570.tif 000007